(57)【要約】【課題】化粧料用中皿に指を掛けて引き上げるときにその引き上げが容易であるコンパクト容器を提供する【解決手段】コンパクト容器は、容器本体２内に嵌めた中枠部材１６が有する中皿収納室２８内で、中皿５４を摺動方向の一方へ付勢して、中皿５４の先部５４ｂを中皿収納室２８の内面に突き当てるとともに、この中皿５４を付勢力に抵抗して摺動方向の他方へ移動させることで中皿５４を取り出すことができる。また中皿５４の基部５４ａを着脱自在に抱持する中皿保持具４０を具備しており、中皿保持具４０は、摺動方向の他方寄りの基端部４０ａを中枠部材１６に対して回動可能に枢着して起伏自在に形成するとともに、中皿保持具４０の倒伏状態で中皿保持具４０の先部５４ｂに中皿挿入口４８を、また中皿保持具４０の上面側に化粧料取出し口５０をそれぞれ開口し、中皿保持具４０に中皿５４を先方へ付勢する弾性体５２を内蔵させた。【選択図】図１
2014166277.tif 000002
【特許請求の範囲】
【請求項１】
上面側に凹所(６)を有する容器本体(２)と、
この容器本体(２)の上面を覆う蓋体(１０)と、
上記凹所(６)内へ嵌合され、上面開放の中皿収納室(２８)を有する中枠部材(１６)と、
中皿収納室(２８)内に一定方向(Ｂ)へ摺動可能に挿入した化粧料充填用の中皿(５４)と、
を具備し、上記中皿(５４)を上記一定方向に中皿(５４)の基部(５４ａ)から先部(５４ｂ)への向きへ付勢する弾性体(５２)を設けるとともに、付勢した向きと反対側へ中皿を移動することで中皿(５４)を取り出すことが可能に形成したコンパクト容器において、
上記中皿(５４)の基部(５４ａ)を着脱自在に抱持する中皿保持具(４０)を具備しており、
この中皿保持具(４０)の基端部(４０ａ)を容器本体（２）又は中枠部材(１６)に対して枢着して、中皿保持具(４０)を起伏自在に形成するとともに、中皿保持具(４０)の先端部(４０ｂ)に中皿挿入口(４８)を、また中皿保持具(４０)の上面側に化粧料取出し口(５０)をそれぞれ開口し、中皿保持具(４０)内に上記中皿(５４)を付勢する弾性体(５２)を設けたことを特徴とする、コンパクト容器。
【請求項２】
上記中皿収納室(２８)を画成する第1隔壁(３０)のうち中皿(５４)の先部(５４ｂ)と向い合う箇所に鍔状突起(３２)を付設し、この鍔状突起(３２)に中皿(５４)の先部(５４ｂ)が係止するように設けたことを特徴とする、請求項１記載のコンパクト容器。
【請求項３】
上記中皿収納室(２８)の底面から中皿(５４)の先部(５４ｂ)を支える支持台部(７)を隆起させて、この支持台部(７)と中皿保持具(４０)とで中皿(５４)を水平に支持するように形成したことを特徴とする、請求項１又は請求項２に記載のコンパクト容器。
【請求項４】
上記中皿収納室(２８)を画成する第1隔壁(３０)のうち中皿(５４)の先部(５４ｂ)付近に、指挿入用凹部(３４)を形成したことを特徴とする、請求項１又は請求項２記載のコンパクト容器。
【発明の詳細な説明】
【技術分野】
【０００１】
本発明は、コンパクト容器に関する。
【背景技術】
【０００２】
一般的に化粧料コンパクトは様々な加飾を施して高価なものが多い。また鏡などは時を経ることで早期に劣化するものでなく、長期に使用することが可能である。しかしながら、化粧料そのものは、使用により消費される場合や使用者の好みにより交換するなど、補充・交換の作業を行うことが頻繁に行われる場合が少なくない。
【０００３】
こうした要請に応えるために、上面側に凹所を有する容器本体と、容器本体の上面を覆う蓋体と、上記凹所内に収納した中皿とを有し、この中皿の一方端面に当接する弾性体を凹所内に設け、中皿の他方端面に爪をかけて引き上げることで中皿を交換可能としたものが提案されている（特許文献１）。
【先行技術文献】
【特許文献】
【０００４】
【特許文献１】特開平１１−２０６４４５
【発明の概要】
【発明が解決しようとする課題】
【０００５】
特許文献１のものは、中皿の他方端面に爪を掛けて弾性体の弾性力に抗して中皿を一方端面側へスライドさせ、次に他方端面に掛けた爪を引き上げることで中皿を取り出さなければならない。このため、その引き上げの際に中皿が爪から滑って外れてしまうおそれがあり、またある程度の高さまで摘み上げた後で中皿が指先から滑り落ちて床に落下してしまうという可能性もあった。
【０００６】
本発明の目的は、化粧料用中皿に指を掛けて引き上げるときにその引き上げが容易であるコンパクト容器を提供することである。
【課題を解決するための手段】
【０００７】
第１の手段は、
上面側に凹所６を有する容器本体２と、
この容器本体２の上面を覆う蓋体１０と、
上記凹所６内へ嵌合され、上面開放の中皿収納室２８を有する中枠部材１６と、
中皿収納室２８内に一定方向Ｂへ摺動可能に挿入した化粧料充填用の中皿５４と、
を具備し、上記中皿５４を上記一定方向に中皿５４の基部５４ａから先部５４ｂへの向きへ付勢する弾性体５２を設けるとともに、付勢した向きと反対側へ中皿を移動することで中皿５４を取り出すことが可能に形成したコンパクト容器において、
上記中皿５４の基部５４ａを着脱自在に抱持する中皿保持具４０を具備しており、
この中皿保持具４０の基端部４０ａを容器本体２又は中枠部材１６に対して枢着して、中皿保持具４０を起伏自在に形成するとともに、中皿保持具４０の先端部４０ｂに中皿挿入口４８を、また中皿保持具４０の上面側に化粧料取出し口５０をそれぞれ開口し、中皿保持具４０内に上記中皿５４を付勢する弾性体５２を設けた。
【０００８】
本手段は、図１に示すように中枠部材１６の中皿収納室２８内に枢着した中皿保持具４０を設け、この中皿保持具４０に中皿５４の基部５４ａを抱持させた構造を提案する。蓋体１０を開蓋した後に中皿５４の先部５４ｂに指を掛けて引き上げると、中皿５４とともに中皿保持具４０が回動するので（図４参照）、中皿５４を取り出し易い。なお、本明細書において、“基端”及び“基部”の「基」とは、中皿保持具の回転軸に近い方の部位を、“先端”及び“先部”の「先」とは上記回転軸から遠い方の部位を指すものとする。
【０００９】
第２の手段は、第１の手段を有し、かつ
上記中皿収納室２８を画成する第1隔壁３０のうち中皿５４の先部５４ｃと向い合う箇所に鍔状突起３２を付設し、この鍔状突起３２に中皿５４の先部５４ｂが係止するように設けた。
【００１０】
本手段は、図２に示すように中皿収納室２８の第1隔壁３０に付設した鍔状突起３２を、中皿５４の先部５４ｂに係止させることを提案している。これにより中皿５４が不意に脱落することを防止できる。
【００１１】
第３の手段は、第１の手段又は第２の手段を有し、かつ
上記中皿収納室２８の底面から中皿５４の先部５４ｂを支える支持台部７を隆起させて、この支持台部７と中皿保持具４０とで中皿５４を水平に支持するように形成した。
【００１２】
本手段では、図２に示すように中皿５４の先部５４ｂを支える支持台部７を設けることを提案している。中皿５４の基部５４ａは上記中皿保持具４０内にスライド可能に挿入しているが、仮に中皿５４を中皿保持具４０の下壁部４２ａだけで支えると中皿５４の先部５４ｂ側の荷重により、中皿５４の基部５４ａが係止リブ４６に擦り付けられ、徒に摩擦抵抗が大となって好ましくない。支持台部７を設けることで中皿５４の動きが容易となる。
【００１３】
第４の手段は、第１の手段から第３の手段の何れかを有し、かつ
上記中皿収納室２８を画成する第1隔壁３０のうち中皿５４の先部５４ｂ付近に、指挿入用凹部３４を形成した。
【００１４】
本手段では、図３（開蓋状態の一部切欠き平面図）に示すように、中皿収納室２８に指挿入用凹部３４を形成している。これにより、中皿５４に指を掛けて引き上げる作業が容易である。
【発明の効果】
【００１５】
第１の手段に係る発明によれば、中枠部材１６に枢着した中皿保持具４０内に中皿５４を中皿保持具４０の先方へ付勢する弾性体５２を設けたから、中皿保持具４０を斜め上方へ回動させ、その方向へ中皿５４を付勢させて、容易に取り出すことができる。
第２の手段に係る発明によれば、中皿収納室２８の第1隔壁３０に付設した鍔状突起３２に、中皿５４の先部を係止するから、中皿５４の不意の抜け出しを防止できる。
第３の手段に係る発明によれば、中皿５４の先部５４ｂを支える支持台部７を設けたから、中皿５４をスムーズにスライドさせることができる。
第４の手段に係る発明によれば、中皿収納室２８の第1隔壁３０に指挿入用凹部３４を形成したから、使い勝手がよい。
【図面の簡単な説明】
【００１６】
【図１】本発明の第１実施形態に係るコンパクト容器の閉蓋状態で一部を切り欠いて示す平面図である。
【図２】図１のコンパクト容器を側方から見た断面図である。
【図３】図１のコンパクト容器の開蓋状態で一部を切り欠いて示す平面図である。
【図４】図１のコンパクト容器の中皿保持具の平面図である。
【図５】図４の中皿保持具をコンパクト容器の側方から見た図である。
【図６】図４の中皿保持具をコンパクト容器の正面方向から見た図である。
【図７】図１のコンパクト容器から中皿を外す作業の説明図であり、同図（Ａ）は作業の初期状態を、同図（Ｂ）は中皿を弾性体の方向へスライドさせる行程を、同図（Ｃ）は中皿を中皿保持具とともに回動させて中皿を取り出す行程をそれぞれ示している。
【図８】図１のコンパクト容器に中皿を再装着する作業の説明図である。
【発明を実施するための最良の形態】
【００１７】
図１から図８は、本発明の第１の実施形態に係るコンパクト容器１を示している。このコンパクト容器１は、容器本体２と、蓋体１０と、中枠部材１６と、中皿保持具４０と、中皿５４とで形成している。これら各部材は、特にことわらない限り合成樹脂材で形成することができる。
【００１８】
容器本体２は、底壁から外周部から周壁４を起立し、この周壁４の内側に中枠部材収納用の凹所６を形成している。上記周壁４の後壁部には、図１に示す如く蓋体取付け用の切欠き８を設けている。また周壁の前壁部には、後述の押釦収納用凹部４ａを凹設しており、この凹部の後側面にフック受部９を形成している（図３参照）。図示のフック受部９は横リブとして形成しているが、その構造は適宜変更することができる。本願明細書において、「後」とは、コンパクト容器１において容器本体２への蓋体１０の枢着部（連結壁部１２）がある側を、「前」とは、フック受部９がある側をそれぞれ指すものとする。また“左方”（又は“右方”）はコンパクト容器を後側から前側へ見たときのときにそれぞれ該当する方向とする。
【００１９】
蓋体１０は、その後部から垂下する連結壁部１２を有し、この連結壁部１２を上記切欠き８内へ挿入させるとともに回動可能に枢着している。蓋体１０の前部からはフック１４を垂下し（図３参照）、このフック１４を上述のフック受部９に係止することが可能に形成している。図示例では、さらに上記押釦収納用凹部４ａ内に押釦１５を前方から押すと回動するように枢着し、押釦１５の一部が回動により上記フック１４を押上げ、フック受部９から外れるように形成している。これらフックとフック受部と押釦とで蓋体のロック機構Ｆを形成している。図２において、Ｍは蓋体裏面に取り付けられた鏡である。
【００２０】
中枠部材１６は、図２に示す如く、上記凹所６内に嵌めたリング体１８の上端を頂板２０で閉塞するとともに、この頂板２０に開口した２つの開口Ｏ１、Ｏ２の各縁部から第１隔壁３０及び第２隔壁２６をそれぞれ垂下して、各筒部の内部をパフ収納室２４及び中皿収納室２８としている。図示例では、頂板２０の外周部２０ａを残して左右両側に中皿収納室２８及びパフ収納室２４を形成し、かつその両者を区切る中板部２０ｂを設けている。しかしながら、その構造は、適宜変更することができる。
【００２１】
上記中皿収納室２８は、上方から見て略長方形状であり、相互に向かい合う２辺のうちの一辺では第1隔壁３０の上端から鍔状突起３２を内方突出しており、他辺側には後述の中皿保持具４０を設けるようにしている。鍔状突起３２は、中皿５４の上下方向の移動を押えるためのものである。
【００２２】
上記中板部２０ｂの中間部分には、図１に点線で示す指挿入用凹部３４を形成する。好適な図示例では、上記中間部分において第２隔壁部分及び第１隔壁部分を省略して、当該中間部分を容器本体２の底面に接する帯板部２１としている。この帯板部２１の厚みは後述の支持台部７の高さと同じとすることができる。
【００２３】
また容器本体２の凹所６の底面のうち中皿収納室２８の底部に相当する部分には、図２に示す如く、後述の中皿５４の先部５４ｂを支持するための支持台部７を形成する。この支持台部７は、中皿収納室２８の４辺のうち中皿５４の先部５４ｂに相当する辺（上記鍔状突起３２を形成した辺）の近傍に設ける。凹所６の残りの底面部分に対する支持台部７の高さは、後述の中皿保持具４０の下壁部４２ａの厚みとほぼ同じとし、中皿保持具４０と支持台部７とで中皿５４を水平に支えることが可能に形成している。支持台部７の作用についてはさらに後述する。
【００２４】
中皿保持具４０は、中皿５４の基部５４ａを包持する保持壁体４２と、弾性体５２とで形成している。
【００２５】
上記保持壁体４２は、図５に示す方向から見て略長方形状であり、前後方向に長い帯状の下壁部４２ａの両端から側壁部４２ｂをそれぞれ起立し、両側壁部４２ｂの間に上壁部４２ｃを架設してなる。
【００２６】
中皿保持具４０の基端部４０ａ側においては、図５に示すように上記各側壁部４２ｂの上部から外側へ一対の枢着部４４を突出している。これら枢着部４４は、中枠部材１６の対応箇所に形成した穴部（図示せず）に枢着され、これにより、中皿保持具４０が両枢着部４４を通る回転軸Ａの回りを回転しかつ起伏することが自在に設ける。他方、中皿保持具４０の先端部４０ｂ側では、図６に示す如く、両側壁部４２ｂの各先端の間に開口する中皿挿入口４８を形成している。上記倒伏状態での中皿保持具４０の上面側では、図４に示す如く上壁部４２ｃの先端側を切除して化粧料取出し口５０を形成している。図示例では、中皿挿入口４８と化粧料取出し口５０とを連続させている。また中皿保持具４０の上端部からはそれぞれ係止リブ４６を内方へ突出している。
【００２７】
さらに中皿保持具４０の基端部４０ａ内には、中皿５４を先方へ付勢する弾性体５２を設ける。図示の弾性体５２は、側壁部４２ｂの基端部の間に架設された板バネとして形成している。この板バネは、図４に点線で示すように全体として弓状に弯曲している。図示例では弾性体５２と保持壁体４２とを一体に形成している。もっとも弾性体５２は、保持壁体４２とは別体として、保持壁体の基端部の前後両側へ取り付け可能に形成してもよい。また図５に示すように、弾性体５２は、長手方向中間部５２ｂに比べて両側端部５２ａが幅広であり、かつ各側端部５２ａは末広がりのテーパ形状になっている。
【００２８】
中皿５４は、上記中皿収納室２８内に図１に示す摺動方向Ｂにスライドできるように一定の余裕を存して収納されている。中皿５４の基部５４ａは上記中皿保持具４０内にスライド可能に嵌装されており、中皿５４の先部５４ｂは支持台部７で支えられている。中皿５４は、樹脂製でも金属製でもよい。
【００２９】
上記構成において、図７（Ａ）に示す初期の状態では、中皿５４の先部５４ｂが鍔状突起３２の下面に係止しており、中皿５４が不意に外へ外れることを防止している。この状態で中皿保持具４０の上面には、化粧料取出し口５０が開口しているので、中皿５４の基部５４ａから先部５４ｂに亘る広い範囲から化粧料を取り出すことができる。
【００３０】
また上記図７（Ａ）の状態では、中皿５４の基部５４ａは中皿保持具４０の下壁部４２ａにより、また中皿５４の先部５４ｂは支持台部７によりそれぞれ水平に支持されている。また下壁部４２ａと支持台部７との間では、中皿５４と容器本体２の底壁とは、空隙３８とを介在して離間している。これにより後述の中皿５４の引き込みによる摩擦抵抗を低減している。
【００３１】
中皿５４を取り出すときには、この状態から、蓋体１０を開放し、指挿入用凹部３４内に指を入れるとともに中皿５４の先部５４ｂにひっかけ、図７（Ｂ）の如く、中皿５４の先部５４ｂから基部５４ａへの方向（基方という）へ引けばよい。そうすると、弾性体５２が弾性変形して中皿５４が移動して、中皿５４の先部５４ｂが鍔状突起３２の下面から離脱する。なお、支持台部７の摺動方向Ｂの巾ｄは、中皿５４を基方へのスライド限界位置まで移動しても、中皿５４の先部５４ｂが支持台部７から脱落しないように設定されている。
【００３２】
次に中皿５４の先部５４ｂに掛けた指を引き上げると、図７（Ｃ）の状態で中皿５４及び中皿保持具４０が回転軸Ａを中心として回動して傾斜状態となる。この状態で中皿保持具４０から中皿５４を容易に引き出すことができる。
【００３３】
新たな中皿５４を装着するときには、図８に示すように中皿保持具４０を斜めにして、その中皿挿入口４８より中皿５４を挿入すればよい。
【符号の説明】
【００３４】
１…コンパクト容器  ２…容器本体  ４…周壁  ４ａ…押釦収納用凹部
６…凹所  ７…支持台部  ８…切欠き  ９…フック受部  
１０…蓋体  １２…連結壁部  １４…フック  １５…押釦
１６…中枠部材  １８…リング体  ２０…頂板  ２０ａ…外周部  ２０ｂ…中板部
２１…帯板部  ２４…パフ収納室  ２６…第２隔壁  ２８…中皿収納室
３０…第1隔壁
３２…鍔状突起  ３４…指挿入用凹部  ３８…空隙
４０…中皿保持具  ４０ａ…基端部  ４０ｂ…先端部
４２…保持壁体  ４２ａ…下壁部  ４２ｂ…側壁部  ４２ｃ…上壁部
４４…枢着部  ４６…係止リブ  ４８…中皿挿入口  ５０…化粧料取出し口
５２…弾性体  ５２ａ…側端部  ５２ｂ…長手方向中間部
５４…中皿  ５４ａ…基部  ５４ｂ…先部  ５６…載置台
Ａ…回転軸  Ｂ…一定方向（摺動方向）  Ｆ…ロック機構  Ｍ…鏡
【図１】
2014166277.tif 000003
【図２】
2014166277.tif 000004
【図３】
2014166277.tif 000005
【図４】
2014166277.tif 000006
【図５】
2014166277.tif 000007
【図６】
2014166277.tif 000008
【図７】
2014166277.tif 000009
【図８】
2014166277.tif 000010